(57)【要約】【課題】小型化に支障なく、且つ、漏光の影響も少ないガイド軸配置を有するレンズ鏡筒及びカメラを提供する。【解決手段】本発明のレンズ鏡筒は、光軸方向に進退する第１の筒（１５）及び第２の筒（１６）と、前記第１の筒（１５）と前記第２の筒（１６）との間に配置されるとともに前記レンズ群を直進ガイドするガイド軸（５２）と、を備えることを特徴とする。【選択図】図１
2012247719.tif 000002
【特許請求の範囲】
【請求項１】
光軸方向に進退する第１の筒及び第２の筒と、
前記第１の筒と前記第２の筒との間に配置されるとともに前記レンズ群を直進ガイドするガイド軸と、
を備えることを特徴とするレンズ鏡筒。
【請求項２】
請求項１に記載のレンズ鏡筒であって、
前記第１の筒と前記第２の筒とは互いに隣接する筒であること、
を特徴とするレンズ鏡筒。
【請求項３】
請求項２に記載のレンズ鏡筒であって、
前記第１の筒と前記第２の筒は、一方が回転筒で他方が直進筒であること、
を特徴とするレンズ鏡筒。
【請求項４】
請求項３に記載のレンズ鏡筒であって、
前記直進筒が前記回転筒の内側に配置されていること、
を特徴とするレンズ鏡筒。
【請求項５】
請求項１〜４のいずれか１項に記載のレンズ鏡筒であって、
前記第１の筒と前記第２の筒とは一体となって光軸方向に移動すること、
を特徴とするレンズ鏡筒。
【請求項６】
請求項１〜５のいずれか１項に記載のレンズ鏡筒であって、
前記第１の筒と前記第２の筒の一方の端部に、遮光部が形成されていること、
を特徴とするレンズ鏡筒。
【請求項７】
請求項６に記載のレンズ鏡筒であって、
前記遮光部は、前記端部から他方の筒側に張り出したフランジ状に設けられていること、
を特徴とするレンズ鏡筒。
【請求項８】
請求項１〜７のいずれか１項に記載のレンズ鏡筒であって、
前記ガイド軸は、内側に配置されている筒の側面の一部に、光軸方向に延びる内周側に窪んだ凹部が形成され、前記ガイド軸は該凹部内に配置されていること、
を特徴とするレンズ鏡筒。
【請求項９】
請求項１〜８のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
近年、レンズ鏡筒の小型化、薄型化が望まれている。そして、小型化のために、レンズ群の直進移動をガイドする直進ガイド軸が、鏡筒内部に配置されているレンズ鏡筒がある（例えば、特許文献１参照）。
【先行技術文献】
【特許文献】
【０００３】
【特許文献１】特開２００６−２１５４２１号公報
【発明の概要】
【発明が解決しようとする課題】
【０００４】
しかしながら、従来、小型化を維持しつつ直進ガイド軸を鏡筒内部に配置するために、レンズ群を保持するレンズ保持枠にガイド軸を通す穴が設けられている。このため、撮影時に穴から光が進入し、撮影画像に悪影響を及ぼすことがある。
【０００５】
本発明の課題は、小型化に支障なく、且つ、漏光の影響も少ないガイド軸配置を有するレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、光軸方向に進退する第１の筒（１５）及び第２の筒（１６）と、前記第１の筒（１５）と前記第２の筒（１６）との間に配置されるとともに前記レンズ群を直進ガイドするガイド軸（５２）と、を備えることを特徴とするレンズ鏡筒（１０）である。
請求項２に記載の発明は、請求項１に記載のレンズ鏡筒（１０）であって、前記第１の筒（１５）と前記第２の筒（１６）とは互いに隣接する筒であること、を特徴とするレンズ鏡筒（１０）である。
請求項３に記載の発明は、請求項２に記載のレンズ鏡筒（１０）であって、前記第１の筒（１５）と前記第２の筒（１６）は、一方が回転筒（１５）で他方が直進筒（１６）であること、を特徴とするレンズ鏡筒（１０）である。
請求項４に記載の発明は、請求項３に記載のレンズ鏡筒（１０）であって、前記直進筒（１６）が前記回転筒（１５）の内側に配置されていること、を特徴とするレンズ鏡筒（１０）である。
請求項５に記載の発明は、請求項１〜４のいずれか１項に記載のレンズ鏡筒（１０）であって、前記第１の筒（１５）と前記第２の筒（１６）とは一体となって光軸方向に移動すること、を特徴とするレンズ鏡筒（１０）である。
請求項６に記載の発明は、請求項１〜５のいずれか１項に記載のレンズ鏡筒（１０）であって、前記第１の筒（１５）と前記第２の筒（１６）の一方の端部に、遮光部（１６Ｇ）が形成されていること、を特徴とするレンズ鏡筒（１０）である。
請求項７に記載の発明は、請求項６に記載のレンズ鏡筒（１０）であって、前記遮光部（１６Ｇ）は、前記端部から他方の筒側に張り出したフランジ状に設けられていること、を特徴とするレンズ鏡筒（１０）である。
請求項８に記載の発明は、請求項１〜７のいずれか１項に記載のレンズ鏡筒（１０）であって、前記ガイド軸（５２）は、内側に配置されている筒（１６）の側面の一部に、光軸方向に延びる内周側に窪んだ凹部（１６Ｄ）が形成され、前記ガイド軸（５２）は該凹部（１６Ｄ）内に配置されていること、を特徴とするレンズ鏡筒（１０）である。
請求項９に記載の発明は、請求項１〜８のいずれか１項に記載のレンズ鏡筒（１０）を備えるカメラ（１）である。
なお、符号を付して説明した構成は、適宜改良してもよく、また、少なくとも一部を他の構成物に代替してもよい。
【発明の効果】
【０００８】
本発明によれば、小型化に支障なく、且つ、漏光の影響も少ないガイド軸配置を有するレンズ鏡筒及びカメラを提供することができる。
【図面の簡単な説明】
【０００９】
【図１】本発明の一実施形態を適用したレンズ鏡筒を備えるカメラの沈胴状態における概念的な縦断面図である。
【図２】図１のＡ−Ａ線に沿ったレンズ鏡筒の光軸と直交面から被写体側を見た図である。
【図３】レンズ鏡筒が伸長した撮影状態における概念的な縦断面図である。
【図４】図２から両面カム筒，直進ガイド筒および副ガイド軸を抽出して示す図である。
【図５】図１に相当する比較例における図である。
【図６】図２に相当する比較例における図である。
【図７】図３に相当する比較例における図である。
【図８】比較例における３群レンズ室よりも被写体側を見た図である。
【発明を実施するための形態】
【００１０】
以下、図面等を参照して、本発明の実施形態について説明する。
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。また、以下の説明では、特に言及しない限り、結像光学系における光軸ＯＡと平行な方向の移動を「直進」、光軸ＯＡ周りの移動を「回転」と称する。また、結像光学系における光軸ＯＡと平行な方向を「前後」とし、被写体側を「前面側」、他端側を「背面側」とそれぞれ称する。
【００１１】
図１は、本発明の一実施形態を適用したレンズ鏡筒１０を備えるカメラ１の沈胴状態における概念的な縦断面図であって、図２のＢ−Ｂ断面に相当する。図２は、図１のＡ−Ａ線に沿ったレンズ鏡筒１０の光軸ＯＡと直交面から被写体側を見た図である。図３は、レンズ鏡筒１０が伸長した撮影状態における概念的な縦断面図である。図４は、図２から両面カム筒１５，直進ガイド筒１６および副ガイド軸５２を抽出して示す図である。
【００１２】
カメラ１は、ボディ部２とレンズ鏡筒１０とから構成されたデジタルカメラある。なお、本発明は、デジタルカメラに限定されるものではなく、たとえばフィルムを用いるスチルカメラにも適用可能である。
レンズ鏡筒１０は、電源が不投入の非撮影時においては図１に示すようにボディ部２の内部に収縮収容された沈胴状態となり、電源が投入されると図３に示すようにボディ部２の前面側に突出して撮影状態となる。
【００１３】
ボディ部２は、ボディ筐体２Ａの内部にセンサユニット３１を備えている。
センサユニット３１は、ＣＣＤ等の撮像素子３１Ａを備えている。センサユニット３１は、撮像素子３１Ａの撮像面がレンズ鏡筒１０の光軸ＯＡと直交する姿勢で、ボディ筐体２Ａに設けられている。センサユニット３１は、レンズ鏡筒１０によって撮像素子３１Ａの撮像面に結像された画像を電気信号に変換して出力する。
【００１４】
レンズ鏡筒１０は、当該カメラ１における結像光学系を構成する４組のレンズ群（第１レンズ群Ｌ１，第２レンズ群Ｌ２と、第３レンズ群Ｌ３および第４レンズ群Ｌ４）を備えている。これらのレンズ群（Ｌ１，Ｌ２，Ｌ３，Ｌ４）は、被写体像をセンサユニット３１における撮像素子３１Ａの撮像面に結像させる。第４レンズ群Ｌ４は、合焦レンズ群であって、光軸ＯＡ方向に移動して結像位置を変化させる。
【００１５】
そして、カメラ１は、撮影者による図示しないレリーズボタンの押圧操作によって、レンズ鏡筒１０のレンズ群（Ｌ１、Ｌ２，Ｌ３，Ｌ４）が撮像素子３１Ａの受光面に結像させた被写体像光を、センサユニット３１が電気信号に変換し、この被写体の画像情報を図示しない記憶装置に記録（撮影）する。これら撮影を含むカメラ１における全ての動作制御は、図示しない制御装置によって行われる。
【００１６】
つぎに、本実施形態において特徴的な構成を有するレンズ鏡筒１０について、詳細に説明する。
レンズ鏡筒１０は、固定筒１１の内部に、カム筒１２、外部直進筒１３、１群直進筒１４、両面カム筒１５、直進ガイド筒１６が、順次小径化する入れ子状態の多段式に配設されている。直進ガイド筒１６の内周側には、２群レンズ室１７と、３群レンズ室１８と、４群レンズ室１９とが、光軸ＯＡ方向に直列に設けられている。
【００１７】
１群直進筒１４は第１レンズ群Ｌ１を、２群レンズ室１７は第２レンズ群Ｌ２を、３群レンズ室１８は第３レンズ群Ｌ３を、４群レンズ室１９は第４レンズ群Ｌ４を、それぞれ保持している。また、３群レンズ室１８は、第３レンズ群Ｌ３の前面側にシャッタユニット１８Ｓを保持している。４群レンズ室１９が保持する第４レンズ群Ｌ４は、前述したように合焦レンズ群であって、駆動操作機構４０によって光軸ＯＡ方向に移動駆動されるようになっている。
【００１８】
以下、レンズ鏡筒１０における各構成要素について、順を追って説明する。
固定筒１１は、所定肉厚で略円筒状に形成されており、当該レンズ鏡筒１０の外面を構成すると共にボディ部２の内部フレームも兼ねている。固定筒１１の背面側の端部には、センサユニット３１を備えるセンサユニットベース３０が装着されている。
また、固定筒１１の背面側端部にモータ支持部１１Ａが形成されている。このモータ支持部１１Ａには、後述する駆動操作機構４０における駆動モータ４１が装着されている。
固定筒１１の内周には、ヘリコイド溝１１Ｂが形成されている。ヘリコイド溝１１Ｂは、周方向において光軸ＯＡ方向の位置が変化する螺旋状に形成されている。
【００１９】
カム筒１２は、所定肉厚の円筒状であって、固定筒１１の内周側に位置している。カム筒１２の外周には、ヘリコイドピン１２Ａが突設されており、このヘリコイドピン１２Ａが固定筒１１のヘリコイド溝１１Ｂに摺動移動可能に嵌合している。カム筒１２は、図示しない繰り出しモータによって回転駆動されるようになっており、その回転によって、ヘリコイド溝１１Ｂの光軸ＯＡ方向における変位に従って光軸ＯＡ方向に移動する。つまり、カム筒１２は、回転しながら直進する。
【００２０】
また、カム筒１２の内周には、外部直進筒１３のカムピン１３Ｂが嵌合するカム溝１２Ｂと、両面カム筒１５の直進ガイドピン１５Ａが嵌合する連動溝１２Ｃと、が形成されている。カム溝１２Ｂは、周方向において光軸ＯＡ方向の位置が所定の関係で変化するように形成されている。連動溝１２Ｃは、光軸ＯＡと平行に形成されている。
【００２１】
外部直進筒１３は、所定肉厚の円筒状であって、カム筒１２の内周側に位置している。外部直進筒１３の背面側の端縁には、バヨネット部１３Ａが形成されている。バヨネット部１３Ａは、後述する両面カム筒１５のバヨネット部１５Ｂと、相対回転は可能であるが光軸ＯＡ方向には相対移動不能に係合している。また、外部直進筒１３の内周には、直進ガイド溝１３Ｃが形成されている。この直進ガイド溝１３Ｃには、直進ガイドキー２０の直進ガイド部２１が嵌合している。
これにより、外部直進筒１３は、両面カム筒１５が回転しつつ直進移動すると、これに伴って、直進ガイドキー２０の直進ガイド部２１に案内されて回転することなく直進移動するようになっている。
【００２２】
直進ガイドキー２０は、外部直進筒１３の直進移動を案内する直進ガイド部２１と、直進ガイド筒１６の直進移動を案内する直進ガイド２２と、を備えている。直進ガイドキー２０は、カム筒１２の背面側の端部に、相対回転可能且つ光軸ＯＡ方向には移動不能に係合して設けられている。
【００２３】
１群直進筒１４は、所定肉厚の円筒状であって、前面側の端部に第１レンズ群Ｌ１を保持し、外部直進筒１３の内周側に位置している。１群直進筒１４の内周には、背面側近傍にフォロアピン１４Ａが突設されると共に、直進溝１４Ｂが光軸ＯＡと平行に形成されている。フォロアピン１４Ａは、両面カム筒１５の１群カム溝１５Ｃに嵌合している。直進溝１４Ｂには、直進ガイド筒１６の直進ガイド突起１６Ａが嵌合している。
【００２４】
１群直進筒１４は、両面カム筒１５が回転すると、直進ガイド筒１６の直進ガイド突起１６Ａによって回転が規制され、フォロアピン１４Ａが１群カム溝１５Ｃに操作され、光軸ＯＡ方向に移動する。すなわち、１群直進筒１４は、両面カム筒１５の回転によって、回転することなく直進する。
【００２５】
両面カム筒１５は、所定肉厚の円筒状であって、１群直進筒１４の内周側に位置している。両面カム筒１５の背面側外周には、直進ガイドピン１５Ａが突設されている。この直進ガイドピン１５Ａは、カム筒１２の連動溝１２Ｃに嵌合している。これにより、両面カム筒１５は、カム筒１２の回転に同期して回転するようになっている。
また、両面カム筒１５の背面側の端部には、バヨネット部１５Ｂが形成されている。このバヨネット部１５Ｂは、外部直進筒１３のバヨネット部１３Ａと相対回転は可能であるが光軸ＯＡ方向には移動不能に係合している。
これにより、両面カム筒１５は、外部直進筒１３と共に直進移動する。つまり、両面カム筒１５は、カム筒１２の回転に同期回転しつつ、外部直進筒１３の直進に伴って直進する。
【００２６】
また、両面カム筒１５の外周には１群カム溝１５Ｃが形成されている。この１群カム溝１５Ｃには、１群直進筒１４のフォロアピン１４Ａが嵌合している。
さらに、両面カム筒１５の内周には、バヨネット溝１５Ｄと、２群駆動カム溝１５Ｅと、３群駆動カム溝１５Ｆと、が形成されている。バヨネット溝１５Ｄには、直進ガイド筒１６のバヨネット突条１６Ｂが嵌合している。２群駆動カム溝１５Ｅには、２群レンズ室１７の２群フォロアピン１７Ａが嵌合している。３群駆動カム溝１５Ｆには、３群レンズ室１８の２群フォロアピン１８Ａが嵌合している。
【００２７】
直進ガイド筒１６は、所定肉厚の円筒状であって、両面カム筒１５の内周側に位置している。直進ガイド筒１６の前面側には、直進ガイド突起１６Ａが突設されている。この直進ガイド突起１６Ａは、１群直進筒１４の直進溝１４Ｂに嵌合している。
直進ガイド筒１６の内周には、バヨネット突条１６Ｂが突設されている。このバヨネット突条１６Ｂは、両面カム筒１５のバヨネット溝１５Ｄに嵌合している。これにより、直進ガイド筒１６は、両面カム筒１５に対して、相対回転は可能であるが光軸ＯＡ方向には移動不能に連結されている。
【００２８】
また、直進ガイド筒１６の前端部には、外周には、鍔状のフランジ１６Ｆが形成されている。フランジ１６Ｆの外径は両面カム筒１５の外径と略等しく、フランジ１６Ｆは両面カム筒１５の前面側の端側を覆うように位置している。なお、直進ガイド突起１６Ａは、このフランジ１６Ｆの外周面に突設されている。
さらに、直進ガイド筒１６には、直進ガイドスリット１６Ｃと、直進溝１６Ｈと、が形成されている。直進ガイドスリット１６Ｃには、２群レンズ室１７の２群フォロアピン１７Ａと、３群レンズ室１８の３群フォロアピン１８Ａとが、それぞれ貫通している。
【００２９】
直進ガイド筒１６の直進溝１６Ｈには、直進ガイドキー２０の直進ガイド２２が嵌合しており、直進ガイド筒１６は、この直進ガイド２２によって回転が規制されて直進のみ許容されるようになっている。
これにより、直進ガイド筒１６は、両面カム筒１５が回転しつつ直進するのに伴って、回転することなく直進する。つまり、両面カム筒１５は回転しつつ直進するのに対して、直進ガイド筒１６は、回転することなく直進する。
【００３０】
２群レンズ室１７は、短筒状に形成されてその中央に第２レンズ群Ｌ２を保持している。２群レンズ室１７の外周には、２群フォロアピン１７Ａが突設されている。２群フォロアピン１７Ａは、直進ガイド筒１６の直進ガイドスリット１６Ｃに嵌合してこれを貫通し、先端が両面カム筒１５の２群駆動カム溝１５Ｅに嵌合している。
【００３１】
３群レンズ室１８は、短筒状に形成されてその中央に第３レンズ群Ｌ３を保持し、さらに、第３レンズ群Ｌ３の前面側にシャッタユニット１８Ｓを保持している。３群レンズ室１８の外周には、３群フォロアピン１８Ａが突設されている。３群フォロアピン１８Ａは、直進ガイド筒１６の直進ガイドスリット１６Ｃに嵌合してこれを貫通し、先端が両面カム筒１５の３群駆動カム溝１５Ｆに嵌合している。
【００３２】
４群レンズ室１９は、略円板状の保持板部１９Ａの中央に第４レンズ群Ｌ４を保持している。保持板部１９Ａの外周縁近傍の所定位置には、後述する副ガイド軸５２と嵌合するガイド孔１９Ｂが形成されている。また、４群レンズ室１９は、保持板部１９Ａから突出した操作アーム部１９Ｃを備えている。
操作アーム部１９Ｃは、所定幅で所定厚さの板状で径方向に延設されて、後述する主ガイド軸５１が嵌合する主軸受部１９Ｄを形成し、さらにその先端部に後述する送りネジ４２が螺合する駆動メネジ１９Ｅを備えている。
【００３３】
主軸受部１９Ｄは、操作アーム部１９Ｃとその前面側に所定間隔を有して一体に形成された支持板１９Ｄａとを、主軸受孔１９Ｄｂが光軸ＯＡ方向に連通して形成されている。主軸受孔１９Ｄｂには、後述する主ガイド軸５１が摺動移動可能に嵌合している。
４群レンズ室１９は、センサユニットベース３０に固定された２本のガイド軸（主ガイド軸５１と副ガイド軸５２）によって光軸ＯＡ方向に移動案内され、駆動操作機構４０によって移動駆動される。
【００３４】
４群レンズ室１９を移動案内する一方の主ガイド軸５１は、基端部でセンサユニットベース３０に植設されて、固定筒１１の外周面より外周側の周方向所定位置に、光軸ＯＡと平行に配設されている。主ガイド軸５１の長さは、４群レンズ室１９（すなわち第４レンズ群Ｌ４）の光軸ＯＡ方向における移動量に対応している。この主ガイド軸５１は、４群レンズ室１９における操作アーム部１９Ｃに形成された主軸受部１９Ｄの主軸受孔１９Ｄｂに嵌合している。主ガイド軸５１は、専ら４群レンズ室１９（第４レンズ群Ｌ４）の移動を案内する。
【００３５】
４群レンズ室１９を移動案内する他方の副ガイド軸５２は、基端部でセンサユニットベース３０に植設されて、主ガイド軸５１とは周方向に所定角度離れた位置に、光軸ＯＡと平行に配設されている。副ガイド軸５２の長さは、４群レンズ室１９（すなわち第４レンズ群Ｌ４）の光軸ＯＡ方向における移動量に対応している。この副ガイド軸５２は、４群レンズ室１９における保持板部１９Ａに形成されたガイド孔１９Ｂに嵌合している。副ガイド軸５２は、４群レンズ室１９の主ガイド軸５１を中心とした回転を規制し、これによって４群レンズ室１９の保持する第４レンズ群Ｌ４の光軸が、当該レンズ鏡筒１０全体の光軸ＯＡからずれることを防ぐように作用する。
【００３６】
ここで、副ガイド軸５２の径方向における位置は、両面カム筒１５と直進ガイド筒１６の間の、両面カム筒１５の内周面より直進ガイド筒１６側に設定されている。これは、直進ガイド筒１６は直進時に回転しないため、必要最小限の収容スペースを形成すれば済むからである。
直進ガイド筒１６における副ガイド軸５２の配設位置と対応する位置には、副ガイド軸５２を収容し得る大きさのガイド軸収容凹部１６Ｄが光軸ＯＡと平行に形成されている。このガイド軸収容凹部１６Ｄの前面側は、直進ガイド筒１６の前面側に形成されたフランジ１６Ｆと一体に連続する閉止部１６Ｇによって閉塞されている。
【００３７】
４群レンズ室１９を移動駆動する駆動操作機構４０は、固定筒１１のモータ支持部１１Ａに装着された駆動モータ４１と、この駆動モータ４１の回転軸に接続されて回転駆動される送りネジ４２と、により構成されている。
送りネジ４２は、光軸ＯＡと平行に配設され、４群レンズ室１９における操作アーム部１９Ｃに設けられた駆動メネジ１９Ｅと螺合している。
駆動操作機構４０は、駆動モータ４１による送りネジ４２の回転駆動によって、駆動メネジ１９Ｅを移動駆動する。これにより、４群レンズ室１９は、主ガイド軸５１に案内されて（沿って）光軸ＯＡ方向に移動する。つまり、第４レンズ群Ｌ４が直進移動操作される。
【００３８】
上記のように構成されたレンズ鏡筒１０は、図１に示す沈胴状態では、第１レンズ群Ｌ１，第２レンズ群Ｌ２、第３レンズ群Ｌ３および第４レンズ群Ｌ４は、光軸ＯＡに沿って隣接してコンパクトに収納されている。第２レンズ群Ｌ２、第３レンズ群Ｌ３および第４レンズ群Ｌ４は、４群レンズ室１９を移動案内する主ガイド軸５１および副ガイド軸５２の径方向における重合域（内周側）に位置する。換言すると、各レンズ群Ｌ２，Ｌ３，Ｌ４の外周側にガイド軸５１，５２が位置した状態となっている。副ガイド軸５２は、直進ガイド筒１６の外周（両面カム筒１５との間）に形成されたガイド軸収容凹部１６Ｄの内部に収容されている。
【００３９】
そして、レンズ鏡筒１０は、図１に示す沈胴状態から、固定筒１１が図示しない繰り出しモータによって回転駆動されることによって伸長して、図３に示す撮影状態となる。
すなわち、固定筒１１の回転によって、カム筒１２が回転しつつ直進する。カム筒の回転によって外部直進筒が直進する。両面カム筒１５は、カム筒の回転に伴って回転しつつ外部直進筒と共に直進する。また、直進ガイド筒１６は、両面カム筒１５の直進に伴って、回転することなく直進する。１群直進筒１４、２群レンズ室１７および３群レンズ室１８は、両面カム筒１５の回転によって回転することなく直進してそれぞれ所定位置に移動する。
【００４０】
これにより、第１レンズ群Ｌ１，第２レンズ群Ｌ２および第３レンズ群Ｌ３が撮影可能な所定位置となる。また、４群レンズ室１９は、駆動操作機構４０によって移動操作されて、第４レンズ群Ｌ４が所定位置となる。この第４レンズ群Ｌ４は前述したように合焦レンズ群であり、撮影時には駆動操作機構４０によって直進操作されて合焦作用を行う。
【００４１】
ここで、図３に示す撮影状態では、直進ガイド筒１６は両面カム筒１５と共に副ガイド軸５２対して前面側に移動しており、ガイド軸収容凹部１６Ｄは副ガイド軸５２から外れて前面側に位置する。換言すると、副ガイド軸５２は、ガイド軸収容凹部１６Ｄの背面側に抜けている。この状態においても、ガイド軸収容凹部１６Ｄの前面側は、直進ガイド筒１６のフランジ１６Ｆと一体に形成された閉止部１６Ｇによって閉塞されているため、ガイド軸収容凹部１６Ｄに前面側から迷光が入射することはない。
【００４２】
図５〜図８は、比較形態を示した図である。これらの図はそれぞれ本実施形態における図１〜図４と対応した図であり、副ガイド軸５２′の配置と、ガイド軸収容凹部１６Ｄが設けられておらず、また貫通孔１７Ｄ’，１８Ｄ’が有る点を除いて基本的に同様な構成である。このため、同じ構成要素には同符号を付してある。但し、符号は、煩雑さを避けるために主要要素にみに限定した。また、図８は図４と異なり３群レンズ室１８も表してある。
【００４３】
すなわち、図５〜図８に示す比較例のように、副ガイド軸５２′を直進ガイド筒１６の内周側に配置して、第２レンズ群Ｌ２および第３レンズ群Ｌ３が収納時（沈胴状態）においてできるだけコンパクトになるように設定すると、副ガイド軸５２′が２群レンズ室１７’よび３群レンズ室１８’に形成された貫通孔１７Ｄ’，１８Ｄ’を貫通することになる。このような構成では、レンズ鏡筒１０が伸長した撮影状態において、図７中矢印で示すように、第１レンズ群Ｌ１から入射した光線が、貫通孔１７Ｄ’，１８Ｄ’を介して第４レンズ群Ｌ４にまで到達し、迷光となって撮像素子３１Ａに入射してしまう虞がある。その結果、撮影画像にフレアやコントラストの低下といった不具合を招く。
【００４４】
これに対して本実施形態の構成では、沈胴状態時において副ガイド軸５２を収容するガイド軸収容凹部１６Ｄは、前面側が閉止部１６Ｇによって閉塞されており、このガイド軸収容凹部１６Ｄを介して光が背面側に入射して迷光を生ずることはない。
【００４５】
以上、本実施形態によると、以下の効果を有する。
（１）両面カム筒１５の内周側に隣接して位置する直進ガイド筒１６の外周に、沈胴状態時において副ガイド軸５２を収容するガイド軸収容凹部１６Ｄが形成されている。このガイド軸収容凹部１６Ｄの前面側は、閉止部１６Ｇによって閉塞されており、副ガイド軸５２を収容しない撮影状態時においてもガイド軸収容凹部１６Ｄに前面側から光線が入射することはなく、光線の入射による迷光を防ぐことができる。その結果、副ガイド軸５２の配設構造に起因する迷光によって撮影画像に不具合を生ずることがない。
【００４６】
（２）ガイド軸収容凹部１６Ｄは、回転することなく直進する直進ガイド筒１６に形成されているため、回転する部材に形成する場合のようにその回転を許容するために大きく形成する必要は無く、コンパクトに構成できる。
【００４７】
（変形形態）
以上、説明した実施形態に限定されることなく、以下に示すような種々の変形や変
更が可能であり、それらも本発明の範囲内である。
（１）本実施形態では、レンズ鏡筒１０とボディ部２とが一体に構成されたカメラ１を例として説明した。しかし、本発明はこれに限らず、ボディ部に対して着脱可能ないわゆる交換レンズに適用しても良い。
（２）また、本実施形態は、本発明を、ガイド軸（主ガイド軸５１および副ガイド軸５２）によって合焦レンズ群である第２レンズ群Ｌ２の移動を案内する構成に適用したものであるが、移動案内される部材は、合焦レンズ群に限らず、ズーミングレンズや他の光学素子等であっても良い。
【００４８】
（３）また、本実施形態では、沈胴状態時において副ガイド軸５２を収容するガイド軸収容凹部１６Ｄは、両面カム筒１５とこれに隣接し共に直進する直進ガイド筒１６の間に配設されている。しかし、副ガイド軸５２を収容する部位（副ガイド軸５２の配設位置）はこれに限定されるものではなく、他の筒部材の間に設定しても良い。
なお、実施形態及び変形形態は、適宜組み合わせて用いることもできるが、詳細な
説明は省略する。また、本発明は以上説明した実施形態によって限定されることはな
い。
【符号の説明】
【００４９】
１：カメラ、２：ボディ部、３１Ａ：撮像素子、１０：レンズ鏡筒、１１：固定筒、１２：カム筒、１３：外部直進筒、１４：１群直進筒、１５：両面カム筒、１６：直進ガイド筒、１７：２群レンズ室、１８：３群レンズ室、１９：４群レンズ室、２０：直進ガイドキー、４０：駆動操作機構、４１：駆動モータ、５１：主ガイド軸、５２：副ガイド軸、ＯＡ：光軸
【図１】
2012247719.tif 000003
【図２】
2012247719.tif 000004
【図３】
2012247719.tif 000005
【図４】
2012247719.tif 000006
【図５】
2012247719.tif 000007
【図６】
2012247719.tif 000008
【図７】
2012247719.tif 000009
【図８】
2012247719.tif 000010